(57)【特許請求の範囲】
【請求項１】
積み重ね可能な飲料容器システムであって、
飲料容器であって、
飲料容器本体と、
同飲料容器本体の上部の少なくとも近傍に配置される飲料容器蓋接続部と、
前記飲料容器本体の下部から下方に延びる環状フランジと、
前記飲料容器本体の前記環状フランジの内側壁部上に配置されるより小型の容器蓋接続部とを含む、飲料容器と、
前記飲料容器蓋接続部に選択的に取り付けられる飲料容器蓋と、
複数のより小型の容器であって、前記飲料容器および他のより小型の容器に交換可能に接続されるような寸法に形成されるとともに構成され、該複数のより小型の容器の各々は、
より小型の容器本体と、
同より小型の容器本体の上部の少なくとも近傍に配置されるネジ付き接続部と、
前記より小型の容器本体の下部から下方に延びる環状フランジと、
前記より小型の容器本体の前記環状フランジの内側壁部上に配置されるより小型の容器蓋接続部とを含む、複数のより小型の容器と、
前記より小型の容器の前記ネジ付き接続部および前記飲料容器の前記より小型の容器蓋接続部に選択的に接続されるような寸法に形成されるとともに構成される複数のより小型の容器蓋とを備え、
前記より小型の容器蓋の各々は、
前記より小型の容器蓋の第１の側上の第１の接続構造体であって、同第１の接続構造体は、前記より小型の容器の前記ネジ付き接続部に交換可能に接続可能であるネジ付き接続部を含む、第１の接続構造体と、
前記より小型の容器蓋の第２の側上の第２の接続構造体であって、同第２の接続構造体は、前記飲料容器の前記より小型の容器蓋接続部または前記より小型の容器の前記より小型の容器蓋接続部に取り付けられるような寸法に形成されるとともに構成される環状フランジを含み、前記第２の接続構造体は、前記環状フランジの下面に配置される上向きに湾曲した受承部を含む、第２の接続構造体と、
前記第１の接続構造体と前記第２の接続構造体との間に配置される中央部とを含み、
前記飲料容器の前記より小型の容器蓋接続部および前記より小型の容器の前記より小型の容器蓋接続部は、内側に延びるフランジおよび同内側に延びるフランジの上面に配置される上向きに湾曲した係合部を含み、同上向きに湾曲した係合部は、中央に配置されるドーム型の突出部を有し、前記上向きに湾曲した係合部は、外側に延びるフランジの下面の上向きに湾曲した受承部に対して補完的であり、
前記より小型の容器蓋の前記第２の接続構造体の前記フランジは、前記より小型の容器蓋がより小型の容器に接続される際に、前記より小型の容器蓋接続部の前記内側に延びるフランジに少なくとも部分的に隣接し、
前記飲料容器の前記蓋接続部および前記より小型の容器蓋接続部は、前記より小型の容器蓋の容器接続部の前記受承部に少なくとも部分的に配置されることを特徴とする積み重ね可能な飲料容器システム。
【請求項２】
前記飲料容器の前記より小型の容器蓋接続部および前記より小型の容器の前記蓋接続部は、略同一であり、これにより前記より小型の容器蓋は、前記より小型の容器および前記飲料容器に交換可能に取り付け可能であることを特徴とする請求項１に記載の積み重ね可能な飲料容器システム。
【請求項３】
前記飲料容器の前記より小型の容器蓋接続部および前記より小型の容器の前記蓋接続部は、オス接続部を含むことを特徴とする請求項１に記載の積み重ね可能な飲料容器システム。
【請求項４】
前記飲料容器の前記より小型の容器蓋接続部および前記より小型の容器の前記蓋接続部は、内側に延びる突出部および係合部を含むことを特徴とする請求項１に記載の積み重ね可能な飲料容器システム。
【請求項５】
前記飲料容器の前記より小型の容器蓋接続部および前記より小型の容器の前記蓋接続部は、バヨネット式マウントを含むことを特徴とする請求項１に記載の積み重ね可能な飲料容器システム。
【請求項６】
前記より小型の容器蓋の前記第２の側上の前記第２の接続構造体は、メス接続部を含むことを特徴とする請求項５に記載の積み重ね可能な飲料容器システム。
【請求項７】
前記より小型の容器蓋の前記第２の側上の前記第２の接続構造体は、スロットおよび受承部を含むことを特徴とする請求項５に記載の積み重ね可能な飲料容器システム。
【請求項８】
前記飲料容器の前記より小型の容器蓋接続部は、バヨネット式マウントを含むことを特徴とする請求項７に記載の積み重ね可能な飲料容器システム。
【請求項９】
前記より小型の容器のうちの１つ以上に配置される仕切りを更に含み、同仕切りは、前記より小型の容器を複数の区画に分けることを特徴とする請求項１に記載の積み重ね可能な飲料容器システム。
【請求項１０】
任意のより小型の容器蓋が、前記複数のより小型の容器、および前記飲料容器の前記より小型の容器蓋接続部のうちの任意のものに交換可能に取り付け可能であることを特徴とする請求項１に記載の積み重ね可能な飲料容器システム。
【請求項１１】
前記飲料容器の前記より小型の容器蓋接続部および前記より小型の容器の前記蓋接続部は、内側に延びる突出部および係合部を含み、
前記より小型の容器蓋の前記容器接続部は、スロットおよび受承部を含むことを特徴とする請求項１に記載の積み重ね可能な飲料容器システム。
【請求項１２】
積み重ね可能な飲料容器システムであって、
飲料容器であって、
飲料容器本体と、
同飲料容器本体の上部の少なくとも近傍に配置されるネジ付き接続部と、
前記飲料容器本体の下部から下方に延びる環状フランジと、
前記飲料容器本体の前記環状フランジの内側部分上に配置されるより小型の容器蓋接続部とを含む、飲料容器と、
同飲料容器の前記ネジ付き接続部に取り付けられる飲料容器蓋と、
複数のより小型の容器であって、前記飲料容器および他のより小型の容器に交換可能に接続されるような寸法に形成されるとともに構成され、前記複数のより小型の容器の各々は、
より小型の容器本体と、
同より小型の容器本体の上部の少なくとも近傍に配置されるネジ付き接続部と、
前記より小型の容器本体の下部から下方に延びる環状フランジと、
前記より小型の容器本体の前記環状フランジの内側部分上に配置されるより小型の容器蓋接続部とを含む、複数のより小型の容器と、
前記より小型の容器の前記ネジ付き接続部に選択的に取り付けられるような寸法に形成されるとともに構成される複数のより小型の容器蓋とを備え、
前記複数のより小型の容器蓋の各々は、
前記より小型の容器蓋の第１の側上に配置される第１の接続構造体であって、同第１の接続構造体は、前記蓋を前記より小型の容器に交換可能に接続するような寸法に形成されるとともに構成される、第１の接続構造体と、
前記より小型の容器蓋の第２の側上に配置される第２の接続構造体であって、同第２の接続構造体は、前記より小型の容器蓋を前記より小型の容器または前記飲料容器に接続するような寸法に形成されるとともに構成され、前記第１の接続構造体は、前記第２の接続構造体とは異なるタイプの接続構造体である、第２の接続構造体と、
前記第１の接続構造体と前記第２の接続構造体との間に配置される中央部とを含み、
前記より小型の容器蓋の前記第２の側上の前記第２の接続構造体は、外側に延びるフランジ、および同外側に延びるフランジの下面に配置される上向きに湾曲した受承部を含み、
前記飲料容器の前記より小型の容器蓋接続部および前記より小型の容器の前記蓋接続部は、内側に延びるフランジおよび同内側に延びるフランジの上面に配置される上向きに湾曲した係合部を含み、同上向きに湾曲した係合部は、中央に配置されるドーム型突出部を有し、前記上向きに湾曲した係合部は、前記外側に延びるフランジの前記下面の前記上向きに湾曲した受承部に対して補完的であり、
前記より小型の容器蓋の容器接続部の前記外側に延びるフランジは、前記蓋接続部の前記内側に延びるフランジに少なくとも部分的に隣接し、
前記飲料容器の前記より小型の容器蓋接続部の前記係合部および前記より小型の容器の前記蓋接続部は、前記より小型の容器蓋がより小型の容器に接続される際、前記より小型の容器蓋の前記容器接続部の前記受承部に少なくとも部分的に配置されることを特徴とする積み重ね可能な飲料容器システム。
【請求項１３】
前記飲料容器の前記より小型の容器蓋接続部および前記より小型の容器の前記蓋接続部は、略同一であり、これにより、前記より小型の容器蓋は、前記より小型の容器および前記飲料容器に交換可能に取り付け可能であることを特徴とする請求項１２に記載の積み重ね可能な飲料容器システム。
【請求項１４】
前記飲料容器の前記より小型の容器蓋接続部および前記より小型の容器の前記蓋接続部は、内側に延びる突出部および係合部を含み、
前記より小型の容器蓋の前記容器接続部は、スロットおよび受承部を含むことを特徴とする請求項１２に記載の積み重ね可能な飲料容器システム。
【請求項１５】
積み重ね可能な飲料容器システムであって、
飲料容器であって、
飲料容器本体と、
同飲料容器本体の下部から下方に延びる環状フランジと、
同環状フランジの内側表面から内側に延びる蓋接続部材とを含む、飲料容器と、
複数のより小型の容器であって、前記飲料容器および他のより小型の容器に交換可能に接続されるような寸法に形成されるとともに構成され、前記複数のより小型の容器の各々は、
より小型の容器本体と、
同より小型の容器本体の下部から下方に延びる環状フランジと、
前記より小型の容器本体の前記環状フランジの内側表面から内側に延びる蓋接続部材とを含む、複数のより小型の容器と、
複数のより小型の容器蓋とを備え、同複数のより小型の容器蓋の各々は、前記より小型の容器を前記飲料容器に交換可能に接続するような寸法に形成されるとともに構成され、前記より小型の容器蓋は、
下方に延びる環状フランジと、
前記より小型の容器の上部に接続されるような寸法に形成されるとともに構成される前記下方に延びる環状フランジの内側表面上のより小型の容器接続部と、
前記より小型の容器の前記蓋接続部材および前記飲料容器の前記蓋接続部材に接続されるような寸法に形成されるとともに構成される上向きに延びる接続部と、
同上向きに延びる接続部の受承部とを含み、
前記飲料容器の前記蓋接続部材および前記より小型の容器の前記蓋接続部材は、前記より小型の容器蓋が前記飲料容器または前記より小型の容器に接続される際に、前記上向きに延びる接続部の前記受承部に少なくとも部分的に配置され、
前記より小型の容器蓋の前記より小型の容器接続部は、外側に延びるフランジ、および同外側に延びるフランジの下面に配置される上向きに湾曲した受承部を含み、
前記飲料容器の前記蓋接続部材および前記より小型の容器の前記蓋接続部材は、内側に延びるフランジ、および同内側に延びるフランジの上面に配置される上向きに湾曲した係合部を含み、同上向きに湾曲した係合部は、中央に配置されるドーム型の突出部を含み、前記上向きに湾曲した係合部は、前記外側に延びるフランジの前記下面の前記上向きに湾曲した受承部に対して補完的であり、
前記より小型の容器蓋の前記容器接続部の前記外側に延びるフランジは、前記蓋接続部材の前記内側に延びるフランジに少なくとも部分的に隣接し、
前記飲料容器の前記蓋接続部材の前記係合部および前記より小型の容器の前記蓋接続部材は、前記より小型の容器蓋の前記容器接続部の前記受承部に少なくとも部分的に配置されることを特徴とする積み重ね可能な飲料容器システム。
【請求項１６】
前記飲料容器の前記環状フランジの内側表面から内側に延びる前記蓋接続部材は、前記より小型の容器の前記環状フランジの内側表面から内側に延びる前記蓋接続部材と略同一であることを特徴とする請求項１５に記載の積み重ね可能な飲料容器システム。
【請求項１７】
前記飲料容器の前記蓋接続部材および前記より小型の容器の前記蓋接続部材は、内側に延びる突出部および係合部を含み、
前記より小型の容器接続部は、スロットおよび受承部を含むことを特徴とする請求項１５に記載の積み重ね可能な飲料容器システム。
【請求項１８】
前記複数のより小型の容器および前記複数のより小型の容器蓋は、略同じ外径を有することを特徴とする請求項１５に記載の積み重ね可能な飲料容器システム。
【請求項１９】
前記複数のより小型の容器、前記複数のより小型の容器蓋、および前記飲料容器の前記下部は、略同じ外径を有することを特徴とする請求項１５に記載の積み重ね可能な飲料容器システム。
【請求項２０】
前記飲料容器の前記下部および前記複数のより小型の容器蓋は、略同じ外径を有することを特徴とする請求項１５に記載の積み重ね可能な容器システム。
【発明の詳細な説明】
【技術分野】
【０００１】
飲料用ボトルや容器が広く使用されている。そのような容器は材料を混合するために通常使用される。例えば、多くの人々は、運動と組み合わせて消費するために、水や別の液体に栄養粉末を混合することにこれらの容器を使用する。
【背景技術】
【０００２】
好適な時間となるまで材料の混合を遅延させることが通常望ましい。しかしながら、そのような容器は絶えず活動して通常使用されるので、所望の時間まで個別の材料を保持することは困難である。例えば、練習が完了する後までプロテインシェイクの材料を格納するために複数の容器が使用される。同様に、１つ以上の個別の容器が、ビタミンや他の錠剤のようなサプリメントを格納するためにも使用され、これらは、容器の中で混合されない。
【発明の概要】
【発明が解決しようとする課題】
【０００３】
複数の容器の追跡を保持することは厄介である。この課題に対処するために、１つ以上の付加的な容器を飲料容器に取り付けるように構成されたいくつかの飲料容器が開発されている。付加的な容器は、後に飲料容器において混合される材料を格納するために、あるいは錠剤のような他の内容物を個別に格納するために使用される。
【課題を解決するための手段】
【０００４】
本発明は積み重ね可能な容器システムに関する。積み重ね可能な容器システムは、飲料用の材料を格納するか、他の食用または非食用の混合物または目的物のための材料または物質を格納するために使用することができる。
【０００５】
一実施形態において、本発明の積み重ね可能な容器システムは、飲料容器、飲料容器蓋、複数のより小型の容器、および複数のより小型の容器蓋を備える。より小型の容器およびより小型の容器蓋は、任意のより小型の容器蓋が任意のより小型の容器に使用可能であるように構成される。飲料容器の底および各々のより小型の容器の底も、飲料容器またはより小型の容器が任意のより小型の容器蓋の頂部と相互に連結可能であるように構成される。
【０００６】
別例において、本発明の積み重ね可能な容器システムは、飲料容器、飲料容器蓋、複数のより小型の容器、複数のより小型の容器蓋、およびより小型の容器蓋がより小型の容器に取り付けられる場合に、複数のより小型の容器のうちの少なくとも１つに挿入される寸法に形成される仕切りを含む。より小型の容器およびより小型の容器蓋は、任意のより小型の容器蓋が任意のより小型の容器に使用可能であるように構成される。飲料容器の底および各々のより小型の容器の底も、飲料容器またはより小型の容器が任意のより小型の容器蓋の頂部と相互に連結可能であるように構成される。
【０００７】
別例において、本発明の積み重ね可能な容器システムは、容器、容器蓋、複数のより小型の容器、および複数のより小型の容器蓋を含む。容器の底は、より小型の容器蓋が少なくとも１つのより小型の容器のうちの１つに固定される場合に、容器が少なくとも１つのより小型の容器蓋のうちの任意のものの頂部と相互に連結可能であるように構成される。
【０００８】
この要約は詳細な説明にさらに後述する単純な形態の概念の選択を導入するために設けられる。この要約は、特許請求の範囲に記載の主題の重要な特徴や本質的な特徴を識別するようには意図されない。また、特許請求の範囲に記載の主題の範囲の決定における補助として使用されるように意図されない。
【図面の簡単な説明】
【０００９】
【図１】本発明の１つ以上の実施形態による積み重ね可能な容器システムを示す２つの図。
【図２】図１の積み重ね可能な容器システムの分解図。
【図３】本発明の１つ以上の実施形態による各々がより小型の容器蓋を備えた２つのより小型の容器を示す分解図。
【発明を実施するための形態】
【００１０】
本発明の付加的な特徴および効果は、以下の明細書に後述し、一部は明細書から明らかになるか、本発明の実施によって習得される。本発明の特徴および効果は、添付の特許請求の範囲で特に指摘される器具および組み合わせによって実現されるとともに得られる。これらおよび本発明の他の特徴は、後述する明細書および添付の特許請求の範囲からより完全に明白になるか、後述する本発明の実施によって習得される。
【００１１】
本発明の上記および他の効果および特徴の記載を省略するために、簡潔に上述した本発明のより特定の記載は、添付の図面に示されるその所定の実施形態に組み込まれたものとする。これらの図面が本発明の通常の実施形態のみを示すとともにその範囲を制限すると考えられるものではないと理解することにより、本発明は、添付の図面を使用することにより、付加的に詳細に開示および説明される。
【００１２】
本発明は積み重ね可能な容器システムに関する。積み重ね可能な容器システムは、飲料用の材料を格納するか、他の食用または非食用の混合物または目的物のための材料または物質を格納するために使用することができる。
【００１３】
一実施形態において、本発明の積み重ね可能な容器システムは、飲料容器、飲料容器蓋、複数のより小型の容器、および複数のより小型の容器蓋を備える。より小型の容器およびより小型の容器蓋は、任意のより小型の容器蓋が任意のより小型の容器に使用可能であるように構成される。飲料容器の底および各々のより小型の容器の底も、飲料容器またはより小型の容器が任意のより小型の容器蓋の頂部と相互に連結可能であるように構成される。
【００１４】
別例において、本発明の積み重ね可能な容器システムは、飲料容器、飲料容器蓋、複数のより小型の容器、複数のより小型の容器蓋、およびより小型の容器蓋がより小型の容器に取り付けられる場合に、複数のより小型の容器のうちの少なくとも１つに挿入される寸法に形成される仕切りを含む。より小型の容器およびより小型の容器蓋は、任意のより小型の容器蓋が任意のより小型の容器に使用可能であるように構成される。飲料容器の底および各々のより小型の容器の底も、飲料容器またはより小型の容器が任意のより小型の容器蓋の頂部と相互に連結可能であるように構成される。
【００１５】
別例において、本発明の積み重ね可能な容器システムは、容器、容器蓋、複数のより小型の容器、および複数のより小型の容器蓋を含む。容器の底は、より小型の容器蓋が少なくとも１つのより小型の容器のうちの１つに固定される場合に、容器が少なくとも１つのより小型の容器蓋のうちの任意のものの頂部と相互に連結可能であるように構成される。
【００１６】
図１は、本発明の１つ以上の実施形態による積み重ね可能な容器システム１００を示す２つの図である。図示のように、積み重ね可能な容器システム１００は、飲料容器蓋１０２を備えた飲料容器１０１、および各々蓋１０４を含む２つのより小型の容器１０３を備える。
【００１７】
図示の積み重ね可能な容器システム１００は、蓋を備えた２つのより小型の容器を有するが、いくつかの実施形態において、積み重ね可能な容器システムは、飲料容器１０１と相互に連結する、蓋を備えた１つ以上のより小型の容器を有し得る。さらに、本発明の積み重ね可能な容器システムは、図１に示すような任意の所定のタイプの飲料容器および飲料容器蓋に限定されるものではない。例えば、積み重ね可能な容器システムのいくつかの実施形態における飲料容器および飲料容器の蓋は、哺乳瓶および乳首、あるいは任意のタイプの飲料や注ぐことのできる物質を含みかつ／または分配するための別のタイプのボトルおよび蓋であり得る。
【００１８】
蓋１０４の各々は、より小型の容器１０３（例えば、図２に示すようなネジ山（より小型の容器１０３の内部および外部のいずれかの）、あるいは本技術において周知の他の手段によって）のいずれかに取り付け可能である。各々の蓋１０４の頂部も、蓋１０４が飲料容器１０１の底およびより小型の容器１０３のいずれかに取り付け可能となるように構成される。このように、蓋１０４をより小型の容器１０３に固定することにより、より小型の容器１０３および飲料容器１０１は、図１に示すような積み重ねを形成するように相互に連結可能である。
【００１９】
容器（飲料容器１０１およびより小型の容器１０３）の各々が個別の蓋（飲料容器蓋１０２および蓋１０４）を備えるため、容器の各々は個別にシール可能である。すなわち、積み重ね可能な容器システム１００は、各々他の容器と個別にシールされ使用することができる３つの容器を含むが、一体的な積み重ね可能な容器システムを形成するようになお相互に連結可能である。
【００２０】
図２は、積み重ね可能な容器システム１００の分解図である。図１に示す要素に付加的に、図２は、積み重ね可能な容器システム１００がさらに仕切り２０１を備えることを示す。仕切り２０１は、１つ以上のより小型の容器１０３に挿入されるように構成可能である。本発明の積み重ね可能な容器システムは、１つの仕切り２０１（１つ以上のより小型の容器に挿入される）、あるいは２つ以上の仕切り２０１（各々任意のより小型の容器に挿入されるか、各々１つの所定のより小型の容器に挿入されるように構成される）を備える。
【００２１】
仕切り２０１は、基部および３つの区画を有するものとして図示される。したがって、仕切り２０１は、所望に応じて材料、錠剤や、他の物質を格納するために３つの個別の区画を形成する。３つ未満または３つ以上の区画を有する仕切りが設けられてもよい。
【００２２】
いくつかの実施形態において、仕切り２０１を格納するように構成されるより小型の容器１０３の各々は、仕切り２０１を支持するための手段を備える。いくつかの実施形態において、この手段は、より小型の容器１０３の内壁部の周囲を延びる唇部を含み、その頂部に仕切り２０１が載置される。仕切り２０１を支持するための唇部や他の手段を備えたより小型の容器１０３を構成する１つの利点は、仕切り２０１がより小型の容器１０３に挿入される場合に、空間をより小型の容器１０３内であって仕切り２０１の下方に保持することができる点にある。すなわち、３つの区画を形成する仕切り２０１が使用される場合に、４つの個別の区画をより小型の容器１０３内に（１つを仕切り２０１の下方に、３つを仕切り２０１の上方（または内部）に）形成可能である。
【００２３】
仕切り２０１は図２に示すものとは異なる深みを有するように構成可能である。すなわち、基部と仕切り２０１の頂部との間の距離は、図２に示す距離より大きいか小さくてもよい。さらに、いくつかの実施形態において、仕切り２０１は、基部を設けることなく構成可能であり、その場合に、仕切り２０１は、容器１０３の内部の底面に接触するように配置され、これにより、内部の底面は、仕切り２０１用の基部として機能する。
【００２４】
図２は、バヨネット式マウントを使用して、飲料容器１０１の底あるいはより小型の容器１０３の底に蓋１０４を相互連結することができることをさらに示す。バヨネット式マウントを図２に示すが、飲料容器１０１およびより小型の容器１０３の底に蓋１０４をネジ締め、スナップ嵌合、ねじ込み、摺動、あるいはネジ止めするものを含む任意のタイプの接続が、より小型の容器１０３あるいは飲料容器１０１の底に蓋１０４を固定することに使用可能である。
【００２５】
図２に、バヨネット式マウントのメス部２０２ａが、蓋１０４の頂面内に形成されることを示す。図３に示すように、バヨネット式マウントの対応するオス部２０２ｂは、より小型の容器１０３の底内に形成可能である。同様のオス部が、飲料容器１０１の底内にも形成可能である。オス部２０２ｂは、容器の底に蓋をロックするためにメス部２０２ａ内にねじ込まれる。
【００２６】
いくつかの実施形態において、バヨネット式マウントのメス部２０２ａおよびオス部２０２ｂは、共通のものであるため、任意の蓋１０４を飲料容器１０１およびより小型の容器１０３のうちのいずれかの底に接続可能である。さらに、オス部およびメス部は、蓋１０４の頂部および容器の底にそれぞれ同様に形成可能である。しかしながら、容器の底のオス部を形成する１つの利点は、蓋１０４に使用する剛性材がより少なくて済む点にある。
【００２７】
本発明の積み重ね可能な容器システムは、ユーザが材料を混合することを望むまで、材料を個別に格納することに使用可能である。例えば、ユーザは、より小型の容器１０３に（仕切り２０１を使用しても使用しなくても）プロテインシェイク用の材料を入れることができる。一旦ユーザがプロテインシェイクを混合することを望むと、ユーザは、飲料容器１０１にそれらの内容物を付加し、必要に応じて飲料容器１０１に液体を付加し、飲料容器１０１内で内容物を混合するためにより小型の容器１０３を取り払う。
【００２８】
積み重ね可能な容器システムは、例えば赤ちゃん用調合乳、サラダドレッシング用材料、パンケーキのケーキ種用の材料、健康ドリンク混合物、非食品（例、絵の具）用の材料等のような任意のタイプの飲料あるいは注ぐことができる物質用の材料を格納するとともに材料を後に混合することに使用可能である。したがって、積み重ね可能な容器システムは、任意の所定の使用（食用物質を混合するための用途を含む）に限定されるべきものではなく、材料が飲料用、または他の食品の混合物用あるいは非食品の混合物用であっても、材料を格納しかつ／または混合するための積み重ね可能な容器システムまで及ぶべきである。
【００２９】
本発明はその趣旨や本質的特徴から逸脱することなく、他の所定の形態にて実施されてもよい。開示される実施形態は、例示的なものであって限定的なものではないものとしてすべての点で考慮される。したがって、本発明の範囲は、上述した明細書によってではなくむしろ添付の特許請求の範囲によって示される。特許請求の範囲の記載と同等の意味および範囲内にある変更はすべて、特許請求の範囲内に包含される。
【図１】
0006105730.tif 000002
【図２】
0006105730.tif 000003
【図３】
0006105730.tif 000004